(57)【特許請求の範囲】
【請求項１】
通信網を介して相互接続したデザインコード管理サーバとデザインコードパターン生成機とを含むデザインコードパターン運営システムであって、
前記デザインコード管理サーバは、前記デザインコードパターン生成機から受信した所定の登録情報に対応するマッチングコード値を生成した後、生成された前記マッチングコード値を前記デザインコードパターン生成機に伝送し、
前記デザインコードパターン生成機は、前記デザインコード管理サーバから前記登録情報に対応する前記マッチングコード値を受信した後、前記マッチングコード値に対応するデザインコードパターンであって、所定の領域内に形成されて互いに異なる大きさを有しかつ識別子が形成されている複数のコードパターンを含み、前記複数のコードパターン各々の大きさ及び識別子のうちの一方に応じて文字又は数字が付与され、前記大きさ及び識別子のうちの残りの一方に応じて前記コードパターンの順序が定められることにより、一連のコード化された情報が表現される、前記デザインコードパターンを生成することを特徴とする、デザインコードパターン運営システム。
【請求項２】
前記デザインコード管理サーバは、
前記デザインコードパターン生成機から受信した前記登録情報に対応する前記マッチングコード値を生成するマッチングコード生成部、及び
前記登録情報と前記登録情報に対応する前記マッチングコード値とが保存されるコード情報データベース
を含むことを特徴とする、請求項１に記載のデザインコードパターン運営システム。
【請求項３】
前記デザインコード管理サーバに通信網を介して接続したデザインコードパターン認識機をさらに含むデザインコードパターン運営システムであって、
前記デザインコードパターン認識機は、前記デザインコードパターンを認識して対応する前記マッチングコード値を抽出し、抽出された前記マッチングコード値を前記デザインコード管理サーバに伝送して、対応する前記登録情報を受信及び表示することを特徴とする、請求項１に記載のデザインコードパターン運営システム。
【請求項４】
所定の領域内に形成されて互いに異なる大きさを有しかつ識別子が形成されている複数のコードパターンを含み、前記複数のコードパターン各々の大きさ及び識別子のうちの一方に応じて文字又は数字が付与され、前記大きさ及び識別子のうちの残りの一方に応じて前記コードパターンの順序が定められることにより、一連のコード化された情報が表現されるデザインコードパターンを生成するデザインコードパターン生成機に通信網を介して接続し、前記デザインコードパターン生成機から所定の登録情報を受信し、前記登録情報に対応するマッチングコード値を生成した後、生成された前記マッチングコード値を前記デザインコードパターン生成機に伝送することを特徴とする、デザインコード管理サーバ。
【請求項５】
前記デザインコードパターン生成機から受信した前記登録情報に対応する前記マッチングコード値を生成するマッチングコード生成部、及び
前記登録情報と前記登録情報に対応する前記マッチングコード値とが保存されるコード情報データベース
を含むことを特徴とする、請求項４に記載のデザインコード管理サーバ。
【請求項６】
前記デザインコードパターンから特定のマッチングコード値を認識して対応する登録情報を表示するデザインコードパターン認識機に、通信網を介して接続し、前記デザインコードパターン認識機から前記マッチングコード値を受信した後、受信した前記マッチングコード値に対応する登録情報を前記デザインコードパターン認識機に伝送することを特徴とする、請求項４に記載のデザインコード管理サーバ。
【発明の詳細な説明】
【技術分野】
【０００１】
本発明は、コード情報を有するパターンに関する。さらに具体的には、デジタル機器を介して解読されることができる情報を含むデザインコードパターン及びその運営システムに関する。
【背景技術】
【０００２】
一般的に、カメラ又はスキャナ等の手段によって画像を取得した後、その画像からコードを抽出することができるコードパターンとしては、マキシコード（ｍａｘｉｃｏｄｅ）、データマトリクス（ｄａｔａ  ｍａｔｒｉｘ）、コードワン（ｃｏｄｅ  ｏｎｅ）、ソフトストリップコード（ｓｏｆｔｓｔｒｉｐ  ｃｏｄｅ）、ＱＲコード、バーコード等がある。このようなコードパターンは、現在の産業と実生活全般にわたって多様に適用されている。
【０００３】
このような従来のＱＲコードやバーコード等のコードパターンは、工業用目的で発明されたものであり、暗号化された情報を全てコード内に有していなければならなかった。したがって多くの情報を収めることができるように作成されるため複雑な構造になっており、いかに多くの情報を誤りなく解読できるかが重要であった。特に、最近になってよく使用されているＱＲコードは、白黒の格子模様パターンで情報を表わすマトリクス形式の二次元コードであるが、数字の他に文字データ等の多量の情報を保存することができるという長所がある。
【０００４】
しかし、これらの従来のコードパターンは、例えばバーコードのように、宗教的立場等によって拒否感を持たれやすいので、単純な情報認識手段としての機能のみでなく、これに美的価値を付与して、コードパターンをデザイン的要素として使用する必要性が出てきている。しかも、情報保存容量が向上したＱＲパターンの実際の活用面をみてみても、主にインターネット上のウェブページを接続する通路の役割を果たすのにとどまっており、そのため実際に使用されるコードパターンには過度に大きな情報保存容量は要求されていない。結局、適当な大きさの情報保存容量を提供することができ、かつ拒否感を持たれずデザイン的に美的価値を高めることができる、新しい形態のコードパターンが必要である。
【発明の概要】
【０００５】
技術的課題
本発明は、前記のような問題点を解決するためになされたものであり、本発明の目的は、コードパターンにデザイン的に美的価値を付与することができるデザインコードパターンを提供することである。
【０００６】
また、本発明の他の目的は、ゲートウェイで対象サーバに接続するためには多量の情報は必要ではないという点に着眼して、適当な大きさの情報が収められるようにすることにより、デザイン設計の自由度が高くかつデザイン的に美的価値を有する要素を活用することができるデザインコードパターンを提供することである。
【０００７】
さらに、本発明は、ユーザが任意にデザインを変えても、デザインコードパターンに表現された情報が破損しないデザインコードパターン及びその運営システムを提供することを追加の目的とする。
【０００８】
技術的解決方法
前記の目的を達成するために、本発明は、個々のデザイン単体に対して前記デザイン単体の大きさと形状に基づいて値と順序とが付与された複数の前記デザイン単体を含むデザインパターンとして、コード化された情報を表現するデザインコードパターン、及びその運営システムを提案する。
【０００９】
本発明によるデザインコードパターンは、所定の領域内に形成された、互いに異なる大きさを有しかつ識別子が形成されている複数のコードパターンを含み、前記複数のコードパターン各々の大きさ及び識別子のうちの一方に応じて文字又は数字が付与され、前記大きさ及び識別子のうちの残りの一方に応じて前記コードパターンの順序が定められることにより、一連のコード化された情報を表現する。ここで、複数のコードパターンが形成された認識領域を定義する基準パターンを形成することができる。
【００１０】
また、デザインコードパターンは、基準配向を定義する基準パターンをさらに含むことができ、この場合、複数のコードパターンは配向を有する形状で形成されることができる。ここで、識別子は、基準配向に対する前記コードパターン各々の配向差により決定されることができる。特に、基準配向に対する複数のコードパターン各々の配向差に応じて各々異なる文字又は数字が付与され、併せて、複数のコードパターンの相対的な大きさに応じて前記コードパターンの順序が定められることができる。
【００１１】
さらに、複数のコードパターン各々は、区別可能な色相で形成することができ、この場合、識別子はコードパターン各々の色相によって決定されることができる。特に、複数のコードパターン各々の色相に応じて各々異なる文字又は数字が付与され、併せて、複数のコードパターンの相対的な大きさに応じて前記コードパターンの順序が定められることができる。
【００１２】
本発明によるデザインコードパターン運営システムは、通信網を介して相互接続したデザインコード管理サーバ及びデザインコードパターン生成機を含み、ここでデザインコード管理サーバは、デザインコードパターン生成機から受信した所定の登録情報に対応するマッチングコード値を生成した後、生成されたマッチングコード値をデザインコードパターン生成機に伝送する。そして、デザインコードパターン生成機は、デザインコード管理サーバから登録情報に対応するマッチングコード値を受信した後、マッチングコード値に対応するデザインコードパターンを生成する。
【００１３】
またデザインコード管理サーバは、デザインコードパターン生成機から受信した登録情報に対応するマッチングコード値を生成するマッチングコード生成部を含むことができ、また登録情報及びこれに対応するマッチングコード値が保存されるコード情報データベースを含むことができる。
【００１４】
本発明によるデザインコードパターン運営システムは、デザインコード管理サーバに通信網を介して接続したデザインコードパターン認識機をさらに含むことができ、デザインコードパターン認識機は、デザインコードパターンを認識して対応するマッチングコード値を抽出し、抽出された前記マッチングコード値をデザインコード管理サーバに伝送して、対応する前記登録情報を受信及び表示することができる。
【００１５】
本発明によるデザインコード管理サーバは、デザインコードパターンを生成するデザインコードパターン生成機に通信網を介して接続し、デザインコードパターン生成機から所定の登録情報を受信してそれに対応するマッチングコード値を生成した後、生成されたマッチングコード値を前記デザインコードパターン生成機に伝送することができる。さらに、デザインコード管理サーバは、デザインコードパターン生成機から受信した登録情報に対応する前記マッチングコード値を生成するマッチングコード生成部と、登録情報及びそれに対応するマッチングコード値が保存されるコード情報データベースとを含むことができる。そして、デザインコード管理サーバは、デザインコードパターンから特定のマッチングコード値を認識して対応する登録情報を表示するデザインコードパターン認識機に通信網を介して接続することができ、デザインコードパターン認識機からマッチングコード値を受信した後、受信したマッチングコード値に対応する登録情報をデザインコードパターン認識機に伝送することができる。
【００１６】
有利な効果
本発明によるデザインコードパターンを利用すれば、ユーザは、簡単な情報を表現するコードに任意にデザイン的要素を加えることができる。一定の作成規則に従って数字又は文字を暗号化する従来のＱＲコードやバーコード等が対象認識のための手段であったとすれば、本発明によるデザインコードパターンは、美的価値を有するパターンに一定の規則を付与することにより、特定の記号として解読され得るようにしたものである。
【００１７】
また本発明によるデザインコードパターン運営システムによれば、デジタル機器によって解読された情報に応じて、デザインコード管理サーバに保存されたいかなる情報も引き出すことができる。
[本発明1001]
所定の領域内に形成されて互いに異なる大きさを有しかつ識別子が形成されている複数のコードパターンを含む、デザインコードパターンであって、前記複数のコードパターン各々の大きさ及び識別子のうちの一方に応じて文字又は数字が付与され、前記大きさ及び識別子のうちの残りの一方に応じて前記コードパターンの順序が定められることにより、一連のコード化された情報が表現される、デザインコードパターン。
[本発明1002]
前記複数のコードパターンが形成された認識領域を定義する基準パターンをさらに含む、本発明1001のデザインコードパターン。
[本発明1003]
基準配向を定義する基準パターンをさらに含むデザインコードパターンであって、
前記複数のコードパターンは配向を有する形状で形成され、前記識別子は、前記基準配向に対する前記コードパターン各々の配向差により決定されることを特徴とする、本発明1001のデザインコードパターン。
[本発明1004]
前記基準配向に対する前記複数のコードパターン各々の配向差に応じて各々異なる文字又は数字が付与され、併せて、前記複数のコードパターンの相対的な大きさに応じて前記コードパターンの順序が定められることを特徴とする、本発明1003のデザインコードパターン。
[本発明1005]
前記複数のコードパターン各々は、区別可能な色相で形成され、前記識別子は、前記コードパターン各々の色相によって決定されることを特徴とする、本発明1001のデザインコードパターン。
[本発明1006]
前記複数のコードパターン各々の色相に応じて各々異なる文字又は数字が付与され、併せて、前記複数のコードパターンの相対的な大きさに応じて前記コードパターンの順序が定められることを特徴とする、本発明1005のデザインコードパターン。
[本発明1007]
通信網を介して相互接続したデザインコード管理サーバとデザインコードパターン生成機とを含むデザインコードパターン運営システムであって、
前記デザインコード管理サーバは、前記デザインコードパターン生成機から受信した所定の登録情報に対応するマッチングコード値を生成した後、生成された前記マッチングコード値を前記デザインコードパターン生成機に伝送し、
前記デザインコードパターン生成機は、前記デザインコード管理サーバから前記登録情報に対応する前記マッチングコード値を受信した後、前記マッチングコード値に対応する、本発明1001〜1006のいずれかによるデザインコードパターンを生成することを特徴とする、デザインコードパターン運営システム。
[本発明1008]
前記デザインコード管理サーバは、
前記デザインコードパターン生成機から受信した前記登録情報に対応する前記マッチングコード値を生成するマッチングコード生成部、及び
前記登録情報と前記登録情報に対応する前記マッチングコード値とが保存されるコード情報データベース
を含むことを特徴とする、本発明1007のデザインコードパターン運営システム。
[本発明1009]
前記デザインコード管理サーバに通信網を介して接続したデザインコードパターン認識機をさらに含むデザインコードパターン運営システムであって、
前記デザインコードパターン認識機は、前記デザインコードパターンを認識して対応する前記マッチングコード値を抽出し、抽出された前記マッチングコード値を前記デザインコード管理サーバに伝送して、対応する前記登録情報を受信及び表示することを特徴とする、本発明1007のデザインコードパターン運営システム。
[本発明1010]
本発明1001〜1006のいずれかによるデザインコードパターンを生成するデザインコードパターン生成機に通信網を介して接続し、前記デザインコードパターン生成機から所定の登録情報を受信し、前記登録情報に対応するマッチングコード値を生成した後、生成された前記マッチングコード値を前記デザインコードパターン生成機に伝送することを特徴とする、デザインコード管理サーバ。
[本発明1011]
前記デザインコードパターン生成機から受信した前記登録情報に対応する前記マッチングコード値を生成するマッチングコード生成部、及び
前記登録情報と前記登録情報に対応する前記マッチングコード値とが保存されるコード情報データベース
を含むことを特徴とする、本発明1010のデザインコード管理サーバ。
[本発明1012]
前記デザインコードパターンから特定のマッチングコード値を認識して対応する登録情報を表示するデザインコードパターン認識機に、通信網を介して接続し、前記デザインコードパターン認識機から前記マッチングコード値を受信した後、受信した前記マッチングコード値に対応する登録情報を前記デザインコードパターン認識機に伝送することを特徴とする、本発明1010のデザインコード管理サーバ。
【図面の簡単な説明】
【００１８】
【図１】本発明によるデザインコードパターンの一態様を利用する実際のデザインされたコードの実施の例である。
【図２】本発明によるデザインコードパターンにおいて各コードパターンの識別値を付与する方法を具体的に示す図面である。
【図３】図２の方法によって実際に情報を表現する方法の例示図である。
【図４】図２及び図３の識別値を付与する方法によって表現された個々のコードパターンに付与された識別値を示す例示図である。
【図５】本発明によるデザインコードパターンを構成する各コードパターンの情報表現方法の例示図である。
【図６】本発明のデザインコードパターンの他の態様として、木の葉の形状のコードパターンに識別値を付与する方法を図示した例示図である。
【図７】図６の木の葉の形状のコードパターンを利用するデザインコードパターンの実施の例示図である。
【図８】本発明によるデザインコードパターンを運営するためのシステムを例示する概要図である。
【図９】本発明によるデザインコードパターン運営システムにおけるデザインコードパターンの生成方法を例示したフローチャートである。
【図１０】本発明によるデザインコードパターン運営システムにおけるデザインコードパターンの識別方法を例示したフローチャートである。
【図１１】本発明によるデザインコードパターン運営システムにおける、デザインコード管理サーバに含まれるコード情報データベースの構造を示した例示図である。
【発明を実施するための形態】
【００１９】
発明の実施のための最善の形態
以下では添付した図面を参照して本発明の好ましい態様をより具体的に説明する。
【００２０】
［デザインコードパターン］
本態様によるデザインコードパターンは、所定の領域内に形成された、互いに異なる大きさ及び識別子を有する複数のコードパターンを含み、前記複数のコードパターン各々の大きさ及び識別子のうちの一方に応じて文字又は数字が付与され、残りの一方に応じて順序が定められることにより、一連のコード化された情報を表現する。ここで、コードパターンは、例えば水玉、木の葉、貝、果物、および記号のパターン等の形状を有することができ、これ以外にもパターン化されたデザインで美的価値を有するものはその素材になることができる。説明の便宜のために図１ないし図５では水玉形状を例示した。ここで、識別子がコードパターンの配向によって決定され、順序がコードパターンの大きさに応じて定められる場合を例示して、本発明によるデザインコードパターンを説明する。
【００２１】
まず、図１を参照すれば、基準パターン１０ａ、１０ｂ、１０ｃは、任意の四角形の領域からなる認識領域Ａを定義する。例えば、３つの基準パターン１０ａ、１０ｂ、１０ｃが四角形の領域の３つの角に各々配置されて認識領域Ａを定義することができる。特に、基準パターン１０ａ、１０ｂ、１０ｃには、基準パターンであることを認識できるように特別な表示、例えば水玉形状の中央に表示されたドット１２ａ、１２ｂ、１２ｃが形成されてもよい。認識領域Ａは、便宜上、四角形の領域で定義されることができるが、認識領域Ａの形状はこれに限定されない。また、基準パターン１０ａ、１０ｂ、１０ｃは、認識領域Ａの範囲だけでなく、後述する例で示すように、特定の基準配向を定義することもできる。例えば、図１で、二つの基準パターン１０ａ、１０ｂの中央に形成されたドット１２ａ、１２ｂを結ぶ仮想の線Ｌを基準配向として定義することもできる。特に、基準パターンにより認識領域と基準配向を同時に定義するためにはさまざまな方法が可能であり、例えば、四角形の形状の認識領域を定義する場合は、基準配向が定義され得るように、四角形の四つの角のうち三つの角にだけ基準パターンを形成する。このように、基準パターンにより基準配向を定義する理由については、以下でさらに詳しく説明する。
【００２２】
次に、基準パターンによって定義された認識領域Ａ内には複数個のコードパターン２０が形成される。これらのコードパターン２０には特定の値が付与されるが、図１ないし図５ではコードパターン２０に値を付与する方法として、例えば、配向を有する形状、すなわち水玉形状の円周付近に、配向を識別するための表示（例えばドット２２）を形成する方法を図示した。すなわち、図２及び図３で示すように、３６０度を１０個の区間に分けた場合に基準配向Ｌに対する配向差に応じて、例えばドット２２（白点で表示）が基準配向Ｌに対して「０」度である場合は数値として「０」を付与し、「３６」度である場合には数値として「１」を付与する。同じ方法で、３６度の間隔で数値を「９」まで付与することができる。参考のため、図４及び図５にはこのように特定の数値に対するドットが形成された水玉形状のコードパターンを図示した。これにより、本態様による水玉形状のコードパターンは１０進法で表示されることができることを理解することができる。
【００２３】
再び図１に戻って、上述した基準パターン及びコードパターンが形成された本発明によるデザインコードパターンには、複数個のコードパターン２０が形成されており、これらの各々のコードパターン２０は、特定の数値（０ないし９）を有する。さらに、これらのコードパターンは、互いに異なる大きさ（コードパターンが占める面積の大きさとみることができる）で形成される。このように異なる大きさで形成されたコードパターン２０は、各々の大きさに従って、順序が定められる。すなわち、図１で、一番大きな面積を有するコードパターンは数値「９」を示し、この数値は一連のコード化された情報で一番最初の位置に入る。そして、一番小さな面積を有するコードパターンは数値「６」を有し、これは一連のコード化された情報で一番最後の位置に入る。また、もし同じ大きさのコードパターンが２つ以上存在したら、この場合は同じ識別値が連続して配置され得る。このような方法で図１に図示したデザインコードパターンを解読すれば、「９０３５５６８６」という一連の数字列を読みとることができる。また、コードパターンの識別値の配列順序は、一番小さな面積を有するコードパターンの数値が一番最初の位置に入り、一番大きな面積を有するコードパターンの識別値が一番最後の位置に入るように、順序値が設定されることもできる。つまり、本発明によるデザインコードパターンでは、数値が複数のコードパターン各々に付与され、相対的な大きさ（例えば形成面積の大きさ）に従って数値を順に配置することができる。
【００２４】
このような方法で、本発明によるデザインコードパターンは、認識領域Ａ内に形成されている個別のコードパターンの位置に関係なく同一の情報を表現することができる。そのため、特定の数値が付与されるコードパターンの配向状態及び相対的な大きさの違いが決定されれば、コードパターンが認識領域Ａ内で無作為に配置されたとしても、同一のコード化された情報が表現される。このようにして、ユーザがデザインコードパターンを設計し得る自由度が増加するため、本発明によるデザインコードパターンは、単純な情報認識の手段としてだけでなく、美的価値が向上したデザイン的要素としても活用することができる。また、数値の配列順序は各コードパターンの相対的な大きさによって定められるため、デザインコードパターンを画像情報として認識する際に縮小あるいは拡大が生じても、その順序値は変わらず、同一の情報を表現することができる。
【００２５】
本発明によるデザインコードパターンで、コードパターンの形状を図６及び図７で示すように木の葉の形状で構成することもできる。図１ないし図５の水玉形状パターンと同じく、コードパターン３０の配向により、木の葉の葉柄３２ｂが向かう方向に対して数値を付与することができる。例えば、木の葉の両端３２ａ、３２ｂで形成される仮想のラインＬと基準配向との配向差に応じて、数値を付与することができる。参考のため、図６及び図７の木の葉の形状のコードパターン３０は６進法で表示されたものである。ここで、図７に図示された木の葉の形状のデザインコードパターンは「１３４４３１３２１２」という数字列を意味する。
【００２６】
本発明によるデザインコードパターンを構成する図柄の数により、区別可能な図柄の数に対応する記数法を適用することができる。すなわち、１０進法なら１０種の区別可能な図柄、５進法なら５種の区別可能な図柄を利用することができる。構成される図柄が少なすぎるとデザイン的に単調となり、多すぎると散漫になるので、美的価値を勘案して適当な量を判断するのがよい。また、異なる図柄を有する２つ以上のパターンを利用してデザインコードパターンを形成することも可能であり、さらには数値が付与されないダミーパターン（Ｄｕｍｍｙ  Ｐａｔｔｅｒｎ）を含めることにより多様にデザインを構成することができる。
【００２７】
また、コードパターンに付与される値は、あらかじめ定められた数字や文字を指定することができ、さらには数字と文字を混用して指定することもできる。ここで、文字としては、アルファベットだけでなく特殊文字や記号等も含まれ得る。また識別値の付与方法としては、先に説明した態様においてのように配向を有する形状のコードパターンを利用して、基準パターンによって定められた基準配向との配向差に応じて各々異なる識別値を付与することもでき、これ以外にも区別可能な色相（明度と彩度で区別可能）により各々のコードパターンを形成した後、その色相の違いに応じて各々異なる識別値を付与することもできる。例えば、黄色は「１」の識別値を、赤色は「２」の識別値を付与するという方法により、色相の違いに応じて識別値を付与することも可能である。
【００２８】
特に、前で説明した態様では、コードパターンの配向に応じて数値を付与し、各々の数値をコードパターンの大きさに従って配列するという方法で一連のコード化された情報を表示する例を説明した。しかし、反対に、コードパターンの大きさに応じて数字又は文字（あるいは数字と文字が混用された場合も含む）を付与し、配向に応じて順序値を指定することも可能である。例えば、図１ないし図５で例示した水玉形状のコードパターンで、基準配向との角度の差に応じて順に順序値を指定すること（すなわち、０度の場合は一番最初の位置、３６度の場合は二番目の位置と指定する方法）により、一連のコード化された情報を表現することもできる。結局、本発明によるデザインコードパターンは、個別のコードパターン自体に、一連のコード化された情報を表現するのに必要な特定の文字又は数値だけでなく、各々の文字又は数字がどのような順序で配列されるかを示す順序値を含んでいる。したがって、認識領域内に形成されたコードパターンの位置は、ユーザが任意に調節することができ、これを基に多様なデザインの設計が可能となる。
【００２９】
一方、本発明によるデザインコードパターンは、例えば数字、文字、空白、引用符等の識別値が付与されてそれ自体で一連の情報を表現するように構成されることができるが、通信網を介するデザインコードパターン運営システムを構築することにより、多様な情報を表示できるように運営することができ、これについては次の態様によって詳しく説明する。
【００３０】
［デザインコードパターン運営システム］
図８ないし図１１によって、本発明によるデザインコードパターン運営システムを以下に説明する。
【００３１】
図８で示すように、本発明によるデザインコードパターン運営システムは、通信網１００を介して相互接続したデザインコード管理サーバ２００及びデザインコードパターン生成機３００を含むことができる。また、デザインコードパターン認識機４００が、デザインコード管理サーバ２００に通信網１００を介して接続することができる。ここで、通信網１００には、有線コンピューターネットワーク、無線コンピューターネットワーク、電話回線、衛星回線、インターネット等を利用することができる。
【００３２】
デザインコード管理サーバ２００は、デザインコードパターン生成機３００から受信した所定の登録情報に対応するマッチングコード値を生成した後、生成されたマッチングコード値をデザインコードパターン生成機３００に伝送する。デザインコード管理サーバ２００は、デザインコードパターン生成機３００から受信した登録情報に対応するマッチングコード値を生成するマッチングコード生成部２２０を含むことができ、また登録情報及びそれに対応するマッチングコード値が保存されるコード情報データベース２４０を含むことができる。参考のため、図１１にはコード情報データベース２４０に記録されたマッチングコード値及びこれに対応する登録情報が保存されている例を図示した。
【００３３】
そして、デザインコードパターン生成機３００は、デザインコード管理サーバ２００から所定の登録情報に対応するマッチングコード値を受信した後、そのマッチングコード値に対応するデザインコードパターンを生成する。そして、デザインコードパターン認識機４００は、任意のデザインコードパターンを認識して対応するマッチングコード値を抽出し、抽出されたマッチングコード値をデザインコード管理サーバ２００に伝送して、それに対応する登録情報を受信及び表示する。ここで、デザインコードパターン生成機３００がデザインコードパターンを生成する方法と、デザインコードパターン認識機４００がデザインコードパターンから特定のマッチングコード値を認識する方法については、以下で詳しく説明する。
【００３４】
−デザインコードパターン生成方法−
デザインコードパターン生成機３００には、パーソナルコンピューター、携帯用端末機等を利用することができ、デザインコードパターンを生成しようとする者（以下、「ユーザ」）は、まず、自分が収めようとする登録情報をデザインコードパターン生成機に書き込む。ここで、登録情報には、動画、写真、メッセージ、電話番号、名刺情報、ウェブサイトアドレス（ＵＲＬアドレス）、ＳＮＳアドレス等の、あらゆる形態の情報が登録可能である。このように、ユーザが登録情報を入力した後（図９参照、Ｓ１１０）、デザインコード管理サーバ２００にマッチングコードの発給を要請する（Ｓ１２０）。デザインコードパターン生成機３００のマッチングコード発給要請に応じて、デザインコード管理サーバ２００は受信した登録情報に対応するマッチングコード値を生成してデザインコードパターン生成機３００に伝送する。この際、ユーザの登録情報は管理者が付与するサーバのＵＲＬにパッケージングされて保存され、管理者が付与したサーバのＵＲＬは、簡単な数字や文字によって記号化された値（マッチングコード値）とマッチングされる。このマッチングコード値は、ユーザが選択するのではなく、デザインコード管理サーバ２００が無作為に生成することが、デザインコードパターンの独創性のためには好ましい。
【００３５】
次に、デザインコード管理サーバ２００から受信したマッチングコード値に基づいて、ユーザは自分が望むデザインでデザインコードパターンを形成する（Ｓ１４０）。この時、デザインコードパターンが、マッチングコード値を構成する各々の値と順序を有するように、あらかじめ定められた形状を有するコードパターンの配向又は色相が確定され、併せてマッチングコード値に応じた複数のコードパターンの相対的な大きさが確定される。すなわち、基準パターンによって定められた認識範囲内に配置される個別のコードパターンの配向又は色相とともに、各々のコードパターンの相対的な大きさが定められる。これによって、記号化された情報（マッチングコード値）を有する複数のコードパターンが生成される。ここで、本発明によるデザインコードパターンは、複数のコードパターンの配向又は色相とともに相対的な大きさが確定されることにより同一の情報を表現し、各々のコードパターンの位置はユーザが任意に調整することができる。したがって、ユーザはデザインコードパターン生成機３００を利用して先に生成したデザインが気に入らなければ、取り消して再生成することができる。個別のコードパターンの位置は、デザインコードパターン全体が有する情報と無関係であるため、生成されたデザインの位置を「シェイク」機能によって変更することができ、個別のパターンの位置を一つずつ指定することもできる。また、特定の値が指定されていないダミーパターンを追加することにより、ユーザは任意にデザインを構成することができる。このようにして、多様な美的価値を提供するデザインコードパターンを生成することができる。
【００３６】
このように、ユーザが提供しようとする情報へと誘導することができるデザインコードパターンが完成したら、ユーザはこれをオンライン上で他人に伝送したり、自分が望む用途で使用することができ、服等のファッション商品に適用して自分が望む情報を示す識別コードとして活用することができる。
【００３７】
−デザインコードパターンの認識方法−
デザインコードパターン認識機４００には、携帯用端末機等を利用することができ、スマートフォン等に必要なアプリケーションをインストールして使用することができる。特に、デザインコードパターン認識機４００は、あらかじめ形成されたデザインコードパターンの画像情報を取得することができるカメラ、スキャナ等の画像情報取得部と、デザインコードパターンの画像情報からそれに表現されたマッチングコード値を認識して抽出するマッチングコード値抽出部と、抽出されたマッチングコード値をデザインコード管理サーバ２００に伝送してそれに対応する登録情報を受信して表示するコード情報表示部とを含むことができる。
【００３８】
図１０に関して、デザインコードパターン認識機４００によるデザインコードパターン認識方法を説明する。まず、所定のデザインコードパターンが表示された表示媒体（例えば、新聞、広告紙、ポスター等のアナログ媒体、テレビ画面、モニター画面等のデジタル媒体等）からデザインコードパターンの画像情報を取得する（Ｓ２１０）。
【００３９】
その後、デザインコードパターンに形成された基準パターンを認識して認識範囲を確定し、認識範囲内に形成された複数のコードパターンを認識して各々のコードパターンに付与された文字や数値、そして各々の値の順序を確定することにより、デザインコードパターンに表現されたマッチングコード値を抽出する（Ｓ２２０）。
【００４０】
次に、抽出されたマッチングコード値をデザインコード管理サーバ２００に伝送した後（Ｓ２３０）、デザインコード管理サーバ２００からマッチングコード値に対応する登録情報を受信する（Ｓ２４０）。この際、デザインコード管理サーバ２００のコード情報データベース２４０には、多様な形態の登録情報が記録されており、デザインコードパターン認識機４００はこのような多様な形態の登録情報をコード情報表示部により表示することができる（Ｓ２５０）。特に、登録情報として特定のＵＲＬ情報を含んでいる場合は、デザインコードパターン認識機４００は該当ＵＲＬが示すウェブページを表示することもできる。
【００４１】
産業上の利用可能性
本発明によるデザインコードパターンを利用すれば、ユーザは、簡単な情報を表現するコードに任意にデザイン的要素を加えることができる。一定の作成規則に従って数字又は文字を暗号化する従来のＱＲコードやバーコード等が対象認識のための手段であったとすれば、本発明によるデザインコードパターンは、美的価値を有するパターンに一定の規則を付与することにより、特定の記号として解読され得るようにしたものである。
【００４２】
また本発明によるデザインコードパターン運営システムによれば、デジタル機器によって解読された情報に応じて、デザインコード管理サーバに保存されたいかなる情報も引き出すことができる。
【００４３】
本発明は図面に示された態様を参照して説明したが、これは例示的なものに過ぎず、本技術分野の通常の知識を有する者ならば、多様な変更及び等価な他の態様が可能であるという点を理解するであろう。したがって、本発明の実際の技術的保護範囲は、添付された特許請求の範囲の技術的精神によって定められるべきものである。
【図１】
0005813869.tif 000002
【図２】
0005813869.tif 000003
【図３】
0005813869.tif 000004
【図４】
0005813869.tif 000005
【図５】
0005813869.tif 000006
【図６】
0005813869.tif 000007
【図７】
0005813869.tif 000008
【図８】
0005813869.tif 000009
【図９】
0005813869.tif 000010
【図１０】
0005813869.tif 000011
【図１１】
0005813869.tif 000012